(57)【要約】【課題】端末装置が設置されている側で、端末装置が設置されている地域に係る情報の入力を行うことなく、端末装置が設置されている地域に合った情報を端末装置に配信できるシステムを提供する。【解決手段】情報配信システム１に係る情報配信装置２の端末管理手段２０は、セッション開始要求を端末装置３から受けると、端末装置ＤＢ２３に該端末装置３が登録されているか確認し、登録されていない場合、該端末装置３のＧＩＰから地域を特定し、該端末装置３を端末装置ＤＢ２３に登録する。また、情報配信装置２の情報配信手段２１は、端末装置ＤＢ２３を参照して、情報配信要求を送信した端末装置３のＧＩＰから該端末装置３の地域を特定し、情報配信要求を受けたＵＲＬに対応する情報の中から、該地域に対応する情報を端末装置３に配信する。【選択図】図４
2012173937.tif 000002
【特許請求の範囲】
【請求項１】
情報の配信を要求する端末装置と、前記端末装置に対して情報を配信する情報配信装置とから少なくとも構成される情報配信システムであって、
前記端末装置は、電源が投入されると、セッション開始要求を前記情報配信装置に送信するセッション開始手段と、前記情報配信装置とのセッションが開始された後、情報配信を要求する操作がなされると、該操作に対応する情報の情報配信要求を受け付ける前記情報配信装置のＵＲＬに対して情報配信要求を送信する情報要求手段を備え、
前記情報配信装置は、セッション開始要求を前記端末装置から受けると、少なくとも前記端末装置のＧＩＰ（Global IP Address）に関連付けて、地域を示す地域ＩＤを記憶した端末装置ＤＢから、セッション開始要求を送信した前記端末装置のＧＩＰに関連付けられた前記地域ＩＤを取得し、該地域ＩＤが前記端末装置ＤＢに記憶されていない場合は、前記地域ＩＤに対応するアドレス範囲を記憶した地域ＤＢを参照し、該ＧＩＰがアドレス範囲に含まれる前記地域ＩＤを取得した後、該ＧＩＰに関連付けて前記地域ＤＢから取得した前記地域ＩＤを前記端末装置ＤＢに記憶する端末管理手段と、情報配信要求を前記端末装置から受けると、前記端末装置ＤＢから、情報配信要求を送信した前記端末装置のＧＩＰに関連付けられた前記地域ＩＤを取得し、情報配信要求を受けたＵＲＬに対応する情報の中から、該地域ＩＤに対応する情報を前記端末装置に配信する情報配信手段を備え、
ていることを特徴とする情報配信システム。
【請求項２】
前記端末管理手段は、セッション開始要求を送信した端末装置のＧＩＰがアドレス範囲に含まれる前記地域ＩＤを前記地域ＤＢから検索できなかった場合、新規に前記地域ＩＤを発行し、発行した前記地域ＩＤに該ＧＩＰに基づくアドレス範囲を関連付けて前記地域ＤＢに登録し、該ＧＩＰに関連付けて発行した前記地域ＩＤを前記端末装置ＤＢに登録することを特徴とする、請求項１に記載の情報配信システム。
【請求項３】
前記情報配信装置は、所定のルールに従い、前記地域ＩＤ毎にアクセスログを解析するアクセスログ解析手段を備え、前記端末管理手段は、セッション開始要求を送信した前記端末装置のＧＩＰ、該端末装置に対応する前記地域ＩＤ、セッション開始要求を受けた日時及びセッション開始要求を含むアクセスログを記憶し、前記情報配信手段は、情報配信要求を送信した端末装置のＧＩＰ、該端末装置に対応する前記地域ＩＤ、情報配信要求を受けた日時及び情報配信要求を記憶し、前記情報配信手段は、前記アクセスログ解析手段より得られた解析結果に基づき前記端末装置へ配信する情報を決定することを特徴とする、請求項１又は請求項２に記載の情報配信システム。
【請求項４】
前記端末装置の前記セッション開始手段は、前記端末装置のＰＩＰ（Private IP Address）を付加したセッション開始要求を前記情報配信装置に送信し、前記情報要求手段は、該ＰＩＰを付加した情報配信要求を前記情報配信装置に送信し、前記端末管理手段は、セッション開始要求にＰＩＰが付加されている場合、セッション開始要求を送信した前記端末装置のＧＩＰ及びＰＩＰに関連付けられた前記地域ＩＤを前記端末装置ＤＢから取得し、該地域ＩＤが前記端末装置ＤＢに記憶されていない場合、該ＧＩＰ及び該ＰＩＰに関連付けて前記地域ＤＢから取得した前記地域ＩＤを端末装置ＤＢに記憶し、前記端末管理手段及び前記情報配信手段は、前記端末装置のＧＩＰに加えＰＩＰをアクセスログに含ませることを特徴とする、請求項３に記載の情報配信システム。
【請求項５】
前記アクセスログ解析手段はアクセスログに含まれる日時を解析し、前記情報配信手段は、情報配信要求を受けたＵＲＬに対応する情報の中から、前記情報配信装置にアクセスの多い時間帯に応じた情報を配信することを特徴とする、請求項３又は請求項４に記載の情報配信システム。
【請求項６】
前記アクセスログ解析手段は、協調フィルタリング等の手法を用い、アクセスログに含まれる情報配信要求を集計し、端末装置からの情報配信要求を受ける情報の種類と順序の傾向を解析し、前記情報配信手段は、該傾向に沿った情報配信要求が発生した場合、情報配信要求の有無に関わらず、該傾向に沿って情報を配信することを特徴とする、請求項３又は請求項４に記載の情報配信システム。
【発明の詳細な説明】
【技術分野】
【０００１】
本発明は、家庭等の建屋に設置されたネットワーク用の端末装置に対して情報を配信するための技術に関する。
【背景技術】
【０００２】
一般家庭用のネットワーク用の端末装置が普及し、インターネットを利用して、端末装置が設置されている地域に合わせた情報を、家庭内に設置された端末装置に配信するニーズが高まっている。
【０００３】
例えば、端末装置が設置されている地域に合わせた情報を配信する発明として、特許文献１では、提供情報の地理的属性を含む配信条件情報と提供情報を記憶した情報記憶手段と、配信先に係る地理的属性及び配信先アドレスを含む配信先情報を記憶した配信先データベースと、配信先情報に含まれる地理的属性に基づいて配信条件情報の配信条件を満たす配信先を特定する配信先特定手段と、特定された配信先の配信先アドレスに対して提供情報を送信する配信制御手段とを備えたシステムが開示されている。
【０００４】
端末装置が設置されている地域に合わせた情報を配信するためには、端末装置が設置されている地域がわからなければならず、上述した発明では、端末装置（配信先）が設置されている地域に係る情報（地理的属性）が配信サーバに記憶されているが、端末装置が設置されている地域に係る情報を端末装置が設置されている側で入力する作業が必要となってしまっていた。
【先行技術文献】
【特許文献】
【０００５】
【特許文献１】特開２００２−１９７２０６号公報
【発明の概要】
【発明が解決しようとする課題】
【０００６】
そこで、本発明は、端末装置が設置されている側で、端末装置が設置されている地域に係る情報の入力を行うことなく、端末装置が設置されている地域に合った情報を端末装置に配信できるシステムを提供することを目的とする。
【課題を解決するための手段】
【０００７】
上述した課題を解決するための第１の発明は、情報の配信を要求する端末装置と、前記端末装置に対して情報を配信する情報配信装置とから少なくとも構成される情報配信システムである。
【０００８】
第１の発明に係る前記端末装置は、前記情報配信装置とのセッションを開始するために電源が投入されると、セッション開始要求を前記情報配信装置に送信するセッション開始手段を備え、前記情報配信装置に情報の配信を要求するために、前記情報配信装置とのセッションが開始された後、情報配信を要求する操作がなされると、該操作に対応する情報の情報配信要求を受け付ける前記情報配信装置のＵＲＬに対して情報配信要求を送信する情報要求手段を備える。
【０００９】
また、第１の発明に係る前記情報配信装置は、セッション開始要求を送信した前記端末装置の地域を管理するために、セッション開始要求を前記端末装置から受けると、少なくとも前記端末装置のＧＩＰに関連付けて、地域を示す地域ＩＤを記憶した端末装置ＤＢから、セッション開始要求を送信した前記端末装置のＧＩＰ（Global IP Address）に関連付けられた前記地域ＩＤを取得し、該地域ＩＤが前記端末装置ＤＢに記憶されていない場合は、前記地域ＩＤに対応するアドレス範囲を記憶した地域ＤＢを参照し、該ＧＩＰがアドレス範囲に含まれる前記地域ＩＤを取得した後、該ＧＩＰに関連付けて前記地域ＤＢから取得した前記地域ＩＤを前記端末装置ＤＢに記憶する端末管理手段を備え、前記端末装置から受信した情報配信要求に対応する情報を配信するために、情報配信要求を前記端末装置から受けると、前記端末装置ＤＢから、情報配信要求を送信した前記端末装置のＧＩＰに関連付けられた前記地域ＩＤを取得し、情報配信要求を受けたＵＲＬに対応する情報の中から、該地域ＩＤに対応する情報を前記端末装置に配信する情報配信手段を備える。
【００１０】
更に、第２の発明は、第１の発明に記載の情報配信システムにおいて、前記地域ＩＤが前記地域ＤＢに登録されていない場合であっても、自動的に該地域ＩＤを前記地域ＤＢに登録できるようにするために、前記情報配信装置の前記端末管理手段は、セッション開始要求を送信した端末装置のＧＩＰがアドレス範囲に含まれる前記地域ＩＤを前記地域ＤＢから検索できなかった場合、新規に前記地域ＩＤを発行し、発行した前記地域ＩＤに該ＧＩＰに基づくアドレス範囲を関連付けて前記地域ＤＢに登録し、該ＧＩＰに関連付けて発行した前記地域ＩＤを前記端末装置ＤＢに登録することを特徴とする。
【００１１】
更に、第３の発明は、第１の発明又は第２の発明に記載の情報配信システムにおいて、前記端末装置のアクセスログに基づく情報を配信できるように、前記情報配信装置は、所定のルールに従い、前記地域ＩＤ毎にアクセスログを解析するアクセスログ解析手段を備え、前記端末管理手段は、セッション開始要求を送信した前記端末装置のＧＩＰ、該端末装置に対応する前記地域ＩＤ、セッション開始要求を受けた日時及びセッション開始要求を含むアクセスログを記憶し、前記情報配信手段は、情報配信要求を送信した端末装置のＧＩＰ、該端末装置に対応する前記地域ＩＤ、情報配信要求を受けた日時及び情報配信要求を記憶し、前記情報配信手段は、前記アクセスログ解析手段より得られた解析結果に基づき前記端末装置へ配信する情報を決定することを特徴とする。
【００１２】
更に、第４の発明は、第３の発明に記載の情報配信システムにおいて、前記端末装置がプライベートネットワークに接続された場合であっても、該端末装置のアクセスログを個別に解析できるよう、前記端末装置の前記セッション開始手段は、前記端末装置のＰＩＰ（Private IP Address）を付加したセッション開始要求を前記情報配信装置に送信し、前記情報要求手段は、該ＰＩＰを付加した情報配信要求を前記情報配信装置に送信し、前記端末管理手段は、セッション開始要求にＰＩＰが付加されている場合、セッション開始要求を送信した前記端末装置のＧＩＰ及びＰＩＰに関連付けられた前記地域ＩＤを前記端末装置ＤＢから取得し、該地域ＩＤが前記端末装置ＤＢに記憶されていない場合、該ＧＩＰ及び該ＰＩＰに関連付けて前記地域ＤＢから取得した前記地域ＩＤを端末装置ＤＢに記憶し、前記端末管理手段及び前記情報配信手段は、前記端末装置のＧＩＰに加えＰＩＰをアクセスログに含ませることを特徴とする。
【００１３】
更に、第５の発明は、第３の発明又は第４の発明に記載の情報配信システムにおいて、前記情報配信装置にアクセスの多い時間帯に応じた情報を配信できるように、前記アクセスログ解析手段はアクセスログに含まれる日時を解析し、前記情報配信手段は、情報配信要求を受けたＵＲＬに対応する情報の中から、前記情報配信装置にアクセスの多い時間帯に応じた情報を配信することを特徴とする。
【００１４】
更に、第６の発明は、第３の発明又は第４の発明に記載の情報配信システムにおいて、情報配信要求の傾向に応じて情報を配信できるように、前記アクセスログ解析手段は、協調フィルタリング等の手法を用い、アクセスログに含まれる情報配信要求を集計し、端末装置からの情報配信要求を受ける情報の種類と順序の傾向を解析し、前記情報配信手段は、該傾向に沿った情報配信要求が発生した場合、情報配信要求の有無に関わらず、該傾向に沿って情報を配信することを特徴とする。
【発明の効果】
【００１５】
このように、本発明によれば、端末装置が設置されている側で、端末装置が設置されている地域に係る情報の入力を行うことなく、端末装置が設置されている地域に合った情報を端末装置に配信できるシステムを提供できる。
【図面の簡単な説明】
【００１６】
【図１】本実施形態に係る情報配信システムを説明する図。
【図２】端末装置が有する機能を説明する図。
【図３】端末装置に表示されるメニュー画面を説明する図。
【図４】情報配信装置に備えられた機能を説明する図。
【図５】端末装置ＤＢに記憶されるデータを説明する図。
【図６】地域ＤＢに記憶されるデータを説明する図。
【図７】アクセスログＤＢに記憶されるデータを説明する図。
【図８】情報配信装置と端末装置がセッションを開始する手順を示したフロー図。
【図９】情報配信装置が端末装置に対して情報を配信する際のフロー図。
【発明を実施するための形態】
【００１７】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００１８】
図１は、本実施形態に係る情報配信システム１を説明する図である。図１で図示した情報配信システム１は、情報を配信する情報配信装置２と、情報が配信される複数の端末装置３とから少なくとも構成され、それぞれの端末装置３と情報配信装置２はネットワーク４を介して接続している。
【００１９】
図１において、建物５ａは地域０１内にあり、建物５ａ内には２台の端末装置３が設置され、建物５ａ内の端末装置３はプライベートネットワーク４ａを介してネットワーク４に接続している。また、建物５ｂは地域０１とは異なる地域０２内にあり、建物５ｂ内には１台の端末装置３が設置されている。
【００２０】
図１で図示した情報配信システム１は、端末装置が設置されている側で、端末装置が設置されている地域に係る情報の入力を行うことなく、端末装置が設置されている地域に合った情報を端末装置に配信できるように開発されたシステムで、情報配信装置２は、情報配信装置２に情報の配信要求をした端末装置３のＧＩＰ（Global IP Address）から、端末装置３が設置されている地域を特定し、特定した地域に対応する情報を配信する。
【００２１】
ＧＩＰは、地域インターネットレジストリ（Regional Internet Registry）などからインターネットサービスプロバイダ（Internet Service Provider）に所定の単位で割り振られ、インターネットサービスプロバイダは地域単位でＧＩＰを割り振るため、ＧＩＰから端末装置３が設置されている地域を特定することは可能で、ＧＩＰが分かれば、ＧｅｏＩＰ（登録商標）を利用して、ＧＩＰに対応する国と、ＧＩＰに対応する町の経度・緯度から、端末装置３が設置されている地域を得ることができる。
【００２２】
まず、図１で図示した情報配信システム１の端末装置について説明する。図２は、端末装置３が有する機能を説明する図である。
【００２３】
端末装置３は、ＣＰＵ、チップセット、メインメモリ、ＬＡＮインターフェース、ディスプレイ及び補助記憶装置などが実装されたコンピュータで実現される装置で、端末装置３側で地域の設定を行うことなく、地域毎に異なる情報を受信するための機能として、情報配信装置２とセッションを開始する際に動作するセッション開始手段３０と、情報配信装置２に対して情報の配信要求を行い、情報配信装置２から配信された情報をディスプレイに表示する動作を行う情報要求手段３１を備え、これらの各手段は、それぞれの手段として機能するコンピュータプログラムで実現される。
【００２４】
このような機能を有する端末装置３は、光ｉフレーム（登録商標）のような専用装置でもよいが、市販のパーソナルコンピュータに、端末装置３として機能するアプリケーションを実装することでも実現できる。
【００２５】
端末装置３のセッション開始手段３０は、電源が投入されると自動的に起動し、セッションを開始する時にアクセスする情報配信装置２のＵＲＬに対して、ＨＴＴＰリクエストであるセッション開始要求を送信して、情報配信装置２とのセッションを開始する手段である。
【００２６】
端末装置３が、セッション開始要求を情報配信装置２に送信する際、端末装置３のＧＩＰが情報配信装置２へ送信され、加えて、建物５ａ内のように、端末装置３がプライベートネットワークに接続している場合には、セッション開始手段３０は、ＨＴＴＰリクエストのパラメータに含ませるなどして、端末装置３のプライベートＩＰアドレス(Private IP Address、以下、「ＰＩＰ」と略す。)が情報配信装置２へ送信される。
【００２７】
情報配信装置２とのセッションが開始された後、情報の配信を要求する操作がなされると、端末装置３の情報要求手段３１が起動し、情報要求手段３１は、該操作に対応する情報の情報配信要求を受け付ける情報配信装置２のＵＲＬに対して、ＨＴＴＰリクエストである情報配信要求を送信し、情報配信装置２から受信した情報をディスプレイに表示する処理を行う。
【００２８】
なお、端末装置３が、情報配信要求を情報配信装置２に送信する際、端末装置３のＧＩＰが情報配信装置２へ送信され、端末装置３でＰＩＰが利用されている場合は、情報要求手段３１は、ＨＴＴＰリクエストのパラメータに含ませるなどして、情報配信要求に端末装置３のＰＩＰを付加する。
【００２９】
情報の配信を要求する操作は任意であるが、本実施形態において、端末装置３のディスプレイに表示されるメニュー画面に含まれ、情報の配信要求を行うためのアイコンを選択する操作を、情報の配信要求を行う操作としている。
【００３０】
図３は、端末装置３に表示されるメニュー画面を説明する図である。図３で図示したメニュー画面には、情報配信要求が行われる際にタップ又はクリックされる複数のアイコン６ａ〜６ｈが並べられ、ここでは、ニュースを配信要求するためのアイコン６ａ、天気予報を配信要求するためのアイコン６ｂ、交通情報を情報配信要求するためのアイコン６ｃ、ショッピング情報を配信要求するためのアイコン６ｄ、献立情報を情報配信要求するためのアイコン６ｅ、災害などの緊急情報を配信要求するためのアイコン６ｆ、健康情報を情報配信要求するためのアイコン６ｇが表示され、更に、ブラウザを起動させるアイコン６ｈが表示されている。
【００３１】
例えば、天気予報を情報配信要求するためのアイコン６ｂには、天気予報の情報配信要求を受け付ける情報配信装置２のＵＲＬがリンクされ、このアイコン６ｂがタップ又はクリックされると、情報配信要求が該ＵＲＬに対して送信され、端末装置３が設置されている地域に係る天気予報が端末装置３のディスプレイに表示される。
【００３２】
次に、図１で図示した情報配信システム１の情報配信装置２について説明する。図４は、情報配信装置２に備えられた機能を説明する図である。
【００３３】
情報配信装置２は、ＣＰＵ、チップセット、メインメモリ、ＬＡＮインターフェース、ディスプレイ及び補助記憶装置などが実装されたコンピュータで実現される装置で、端末装置３が設置されている側で、端末装置３が設置されている地域に係る情報の入力を行うことなく、端末装置３が設置されている地域に合った情報を端末装置３に配信できるようにするための機能として、情報配信装置２にアクセスする端末装置３を管理する端末管理手段２０と、端末装置３から情報配信要求を受けた情報を端末装置３に配信する情報配信手段２１と、情報配信装置２にアクセスした端末装置３のアクセスログを解析するアクセスログ解析手段２２を備え、これらの各手段は、それぞれの手段として機能するコンピュータプログラムで実現される。
【００３４】
また、情報配信装置２は、上述した手段が利用するＤＢとして、端末装置３に係るデータを記憶する端末装置ＤＢ２３、地域に係るデータを記憶する地域ＤＢ２４，アクセスログに係るＤＢを記憶するアクセスログＤＢ２５を有する。
【００３５】
図５は、端末装置ＤＢ２３に記憶されるデータを説明する図である。図５に図示したように、端末装置ＤＢ２３には、情報配信装置２にアクセスした端末装置３毎にレコードが設けられ、このレコードには、情報配信装置２が端末装置３に割り当てた端末装置ＩＤ、端末装置３が設置している地域を示す地域ＩＤ、端末装置３のＧＩＰ及び端末装置３のＰＩＰを記憶するカラムが設けられている。
【００３６】
図５において、端末装置ＩＤが「００１」及び「００２」に対応する端末装置３は、建物５ａに設置された２台の端末装置３で、該端末装置３はプライベートネットワーク４ａに接続しているため、端末装置ＩＤが「００１」及び「００２」のレコードにはＰＩＰが記述されている。また、端末装置ＩＤが「００３」に対応する端末装置３は、建物５ｂに設置された端末装置３で、該端末装置３はプライベートネットワーク４ａに接続していないため、端末装置ＩＤが「００３」のレコードにはＰＩＰが記述されていない。
【００３７】
図６は、地域ＤＢ２４に記憶されるデータを説明する図である。地域ＤＢ２４には、端末装置３にアクセスした端末装置３が設置されている地域毎にレコードが設けられ、このレコードには、地域を示す地域ＩＤ、地域に対応するアドレス範囲を示す値及びドメイン名を記憶するカラムが設けられている。
【００３８】
地域に対応するアドレス範囲を示す値は、地域を特定できるＧＩＰの範囲を特定できる値が記述され、本実施形態において、地域に対応するアドレス範囲を示す値は、下一桁が「０」のＧＩＰの値（例えば、「169.254.1.0」）としている。例えば、地域に対応するアドレス範囲が「169.254.1.0」であるとき、アドレス範囲は「169.254.1.1〜169.254.1.254」になる。
【００３９】
なお、既に上述しているように、ＧＩＰは、地域インターネットレジストリ（Regional Internet Registry）などからインターネットサービスプロバイダ（Internet Service Provider）に所定の単位で割り振られ、インターネットサービスプロバイダは地域単位でＧＩＰを割り振るため、ＧＩＰの下一桁以外が同一ならば、おおよそ同じ地域にあると考えても差し支えない。
【００４０】
図７は、アクセスログＤＢ２５に記憶されるデータを説明する図である。アクセスログＤＢ２５には、地域ＤＢ２４に記憶された地域ＩＤ毎に、地域ＩＤに対応するテーブルが設けられ、このテーブルには、地域ＩＤに対応する地域に設置された端末装置３からのアクセスが有る毎にインクリメントされるアクセスＩＤ、端末装置３のＧＩＰ、ＨＴＴＰリクエスト（ここでは、セッション開始要求又は情報配信要求のいずれか）に付加されていたＰＩＰ、アクセスのあった日時、該端末装置３から受けたＨＴＴＰリクエストが記憶される。
【００４１】
ここから、図１で図示した情報配信システム１で実行される手順を説明しながら、情報配信装置２に備えられた各手段ついて説明する。図８は、情報配信装置２と端末装置３がセッションを開始する手順を示したフロー図である。
【００４２】
セッションを開始するセッション開始要求を端末装置３から受信すると、情報配信装置２の端末管理手段２０が起動する（Ｓ１）。
【００４３】
情報配信装置２の端末管理手段２０は、セッション開始要求を端末装置３から受信すると、セッション開始要求を送信した端末装置３のＧＩＰに関連付けられた地域ＩＤを端末装置ＤＢ２３から検索する（Ｓ２）。なお、セッション開始要求にＰＩＰが付加されている場合、情報配信装置２の端末管理手段２０は、セッション開始要求を送信した端末装置３のＧＩＰ及びＰＩＰに関連付けられた地域ＩＤを端末装置ＩＤから検索する。
【００４４】
地域ＩＤが端末装置ＤＢ２３から検索できない場合、セッション開始要求を送信した端末装置３が端末装置ＤＢ２３に登録されていないと考えられるため、情報配信装置２の端末管理手段２０は、セッション開始要求を送信した端末装置３を登録するために、セッション開始要求を送信した端末装置３のＧＩＰがアドレス範囲に含まれる地域ＩＤを地域ＤＢ２４から検索する（Ｓ３）。
【００４５】
本実施形態において、セッション開始要求を受けた際に得られたＧＩＰの下一桁を「０」とした値がアドレス範囲の値として記述されたレコードを地域ＤＢ２４から検索することで、セッション開始要求を受けた際に得られたＧＩＰに対応する地域ＩＤが検索される。例えば、セッション開始要求を受けた際に得られたＧＩＰが「169.254.1.１」である場合、「169.254.1.0」がアドレス範囲の値として記述されたレコードが検索される。
【００４６】
セッション開始要求を受けた際に得られたＧＩＰに対応する地域ＩＤを地域ＤＢ２４から検索できなかった場合、セッション開始要求を送信した端末装置３に対応する地域ＩＤが地域ＤＢ２４に登録されていないと考えられるため、情報配信装置２の端末管理手段２０は、セッション開始要求を送信した端末装置３に対応する地域ＩＤを新規に発行し、該地域ＩＤを地域ＤＢ２４に登録する処理を行う（Ｓ４）。
【００４７】
地域ＩＤを地域ＤＢ２４に登録する処理において、情報配信装置２の端末管理手段２０は、地域ＤＢ２４に新規のレコードを追加し、新規に発行した地域ＩＤ，セッション開始要求を受けた際に得られたＧＩＰの下一桁を「0」とした値、ＤＮＳサーバを利用して、セッション開始要求を受けた際に得られたＧＩＰが属するドメイン名が得られたときは、該ドメイン名を該レコードに記載する。
【００４８】
セッション開始要求を受けた際に得られたＧＩＰに対応する地域ＩＤを地域ＤＢ２４から検索した後、又は、新規に発行した地域ＩＤを地域ＤＢ２４に登録した後、情報配信装置２の端末管理手段２０は、セッション開始要求を送信した端末装置３を端末装置ＤＢ２３に登録する処理を実行する（Ｓ５）。
【００４９】
端末装置３を端末装置ＤＢ２３に登録する処理において、情報配信装置２の端末管理手段２０は、端末装置ＤＢ２３に新規のレコードを追加した後、新規に端末装置ＩＤを発行し、発行した端末装置ＩＤ、セッション開始要求を送信した端末装置３のＧＩＰ、地域ＤＢ２４から取得した地域ＩＤを該レコードに記述する。なお、セッション開始要求にＰＩＰが付加されている場合、情報配信装置２の端末管理手段２０は、セッション開始要求を送信した端末装置３のＧＩＰに加えＰＩＰを該レコードに記述する。
【００５０】
なお、セッション開始要求を受けた際に得られたＧＩＰに対応する地域ＩＤを地域ＤＢ２４から検索できた場合、端末装置ＤＢ２３に登録する端末装置３の地域ＩＤは、地域ＤＢ２４から検索した地域ＩＤになる。また、セッション開始要求を受けた際に得られたＧＩＰに対応する地域ＩＤを地域ＤＢ２４から検索できなかった場合、端末装置ＤＢ２３に登録する端末装置３の地域ＩＤは、新規に発行した地域ＩＤになる。
【００５１】
セッション開始要求を送信した端末装置３のＧＩＰに関連付けられた地域ＩＤを端末装置ＤＢ２３から検索した後、又は、端末装置３を端末装置ＤＢ２３に登録した後、情報配信装置２の端末管理手段２０は、セッション開始要求を送信した端末装置３に対して、セッション開始要求のレスポンスを送信した後（Ｓ６）、セッション開始要求を受信したアクセスログをアクセスログＤＢ２５に記憶して（Ｓ７）、この手順は終了する。
【００５２】
アクセスログをアクセスログＤＢ２５に記憶する際、情報配信装置２の端末管理手段２０は、アクセスログＤＢ２５の中から、セッション開始要求を送信した端末装置３の地域ＩＤに対応するテーブルに、この時のアクセスログを記憶するレコードを追加した後、該レコードに、新規に発行したアクセスＩＤ、セッション開始要求を受けた日時、セッション開始要求を送信した端末装置３のＧＩＰ、セッション開始要求に付加されていたＰＩＰ、端末装置３から送信されたセッション開始要求を記述する。
【００５３】
次に、情報配信装置２が端末装置３に情報を配信する際の手順について説明する。図９は、情報配信装置２が端末装置３に対して情報を配信する際のフロー図である。情報配信装置２の情報配信手段２１は、セッションを開始する手順が終了した後、ＨＴＴＰリクエストである情報配信要求を端末装置３から受信すると（Ｓ１０）、情報配信要求を送信した端末装置３に対して、情報配信要求を受けたＵＲＬに係る情報を配信する処理を開始する。
【００５４】
情報配信要求を受けた情報を配信する際、まず、端末装置３の情報配信手段２１は、端末装置ＤＢ２３を参照し、情報配信要求を受けた端末装置３のＧＩＰが記述されたレコードを特定し、情報配信要求を送信した端末装置３の地域ＩＤとして、特定したレコードに記載されている地域ＩＤを取得する（Ｓ１１）。なお、情報配信要求にＰＩＰが付加されている場合、情報配信装置２の情報配信手段２１は、情配信要求を送信した端末装置３のＧＩＰ及びＰＩＰが記述されたレコードを特定する。
【００５５】
端末装置３の情報配信手段２１は、情報配信要求を送信した端末装置３の地域ＩＤを取得すると、情報配信要求を受けたＵＲＬに対応した情報で、かつ、取得した地域ＩＤに係る情報を情報配信要求のレスポンスとして端末装置３へ配信する（Ｓ１２）。
【００５６】
そして、端末装置３の情報配信手段２１は、情報配信要求のレスポンスを端末装置３へ送信すると、受信した情報配信要求に係るアクセスログをアクセスログＤＢ２５に記憶して（Ｓ１３）、この手順を終了する。
【００５７】
アクセスログをアクセスログＤＢ２５に記憶する際、情報配信装置２の端末管理手段２０は、アクセスログＤＢ２５の中から、セッション開始要求を送信した端末装置３の地域ＩＤに対応するテーブルに、この時のアクセスログを記憶するレコードを追加した後、該レコードに、新規に発行したアクセスＩＤ、情報配信要求を受けた日時、情報配信要求を送信した端末装置３のＧＩＰ、情報配信要求に付加されていたＰＩＰ、端末装置３から送信された情報配信要求を記述する。
【００５８】
次に、情報配信装置２のアクセスログ解析手段２２について説明する。情報配信装置２のアクセスログ解析手段２２は、所定のルールに従い、アクセスログＤＢ２５に記憶されているアクセスログを地域ＩＤ毎に解析する手段である。
【００５９】
情報配信装置２のアクセスログ解析手段２２が、アクセスログを解析する時に利用する所定のルールは任意でよく、例えば、アクセスログに含まれる日時の頻度を地域ＩＤ毎に解析することで、情報配信装置２にアクセスの多い時間帯を地域ＩＤ毎に求めることができる。
【００６０】
また、協調フィルタリング法を用いて情報配信要求に係るアクセスログを集計し、端末装置３からの情報配信要求を受ける情報の種類と順序の傾向を地域ＩＤ毎に求めれば、情報配信要求を受ける情報の種類と順序の傾向を地域ＩＤ毎に求めることができる。本実施形態において、端末装置３のメニュー画面に表示されるアイコンがタップ又はクリックされることで情報配信要求が端末装置３から情報配信装置２に送信されるため、端末装置３のユーザがタップ又はクリックするアイコンとその順の傾向を地域ＩＤ毎に求めることができる。
【００６１】
情報配信装置２のアクセスログ解析手段２２の解析結果は、端末装置３の情報配信手段２１が端末装置３に配信する情報を決定する際に利用される。例えば、アクセスログに含まれる日時の頻度を地域ＩＤ毎に解析し、情報配信装置にアクセスの多い時間帯が地域ＩＤ毎に得られている場合、情報配信要求を受けたＵＲＬに対応した情報に対応し、情報配信装置にアクセスの多い時間帯に係る情報を配信することができるようになる。
【００６２】
また、協調フィルタリング法を用いて情報配信要求に係るアクセスログを集計し、端末装置３からの情報配信要求を受ける情報の種類と順序の傾向が地域ＩＤ毎に得られている場合、該傾向に沿った配信要求が発生すると、情報配信要求の有無に関わらず、該傾向に沿って情報を端末装置３に配信することができるようになる。
【符号の説明】
【００６３】
１    情報配信システム
２    情報配信装置
２０  端末管理手段
２１  情報配信手段
２２  アクセスログ解析手段
３    端末装置
３０  セッション開始手段
３１  情報要求手段
【図１】
2012173937.tif 000003
【図２】
2012173937.tif 000004
【図３】
2012173937.tif 000005
【図４】
2012173937.tif 000006
【図５】
2012173937.tif 000007
【図６】
2012173937.tif 000008
【図７】
2012173937.tif 000009
【図８】
2012173937.tif 000010
【図９】
2012173937.tif 000011